【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
管理装置が記録装置に対して行うデータ書き換え方法であって、
前記管理装置が前記記録装置に対し、第一の範囲の値で示された前記記録装置の機種情報または前記記録装置の機種情報が前記第一の範囲の値とは異なる第二の範囲の値であることを示す継続情報を含む第一の情報の送信を要求し、
前記管理装置は、前記記録装置から送信された前記第一の情報に前記機種情報もしくは前記継続情報のどちらが含まれているかを判断し、
前記管理装置が、前記第一の情報に前記機種情報が含まれていると判断した場合に、
前記管理装置は、前記第一の情報から前記機種情報を取得し、
前記管理装置が、前記第一の情報に前記継続情報が含まれていると判断した場合に、
前記管理装置は、前記第二の範囲の値で示された前記記録装置の機種情報を含む第二の情報を送信することを前記記録装置に要求し、
前記管理装置は、前記記録装置から送信された前記第二の情報から前記記録装置の機種情報を取得し、
前記取得された記録装置の機種情報に基づいて、前記管理装置は前記管理装置に記憶されたデータを前記記録装置に書き込むことを特徴とするデータの書き換え方法。
【請求項２】
前記管理装置は、前記第一の情報から前記記録装置の機種情報を取得した後、前記取得された機種情報と前記データとの対応関係を第一の方式で判断し、
前記第二の情報から前記記録装置の機種情報を取得した後、前記取得された機種情報と前記データとの対応関係を前記第一の方式と異なる第二の方式で判断する請求項１に記載のデータの書き換え方法。
【請求項３】
前記第一の方式は、前記第一の情報から取得された機種情報を第一の形式に変換し、
変換された前記第一の形式の情報と前記データに含まれる情報との対応関係で判断し、
前記第二の情報は、前記継続情報を含み、
前記第二の方式は、前記第二の情報に含まれる前記継続情報を前記第一の形式と異なる第二の形式に変換し、
変換された前記第二の形式の情報と前記データに含まれる情報との対応関係で判断する請求項２に記載のデータの書き換え方法。
【請求項４】
前記第一の方式及び前記第二の方式は、所定のビット変換を行った結果が所定の値になっているか否か判断する方式であり、前記第一の方式で用いられるビット変換の結果と前記第二の方式で用いられるビット変換の結果とは異なるような方式である請求項３に記載のデータの書き換え方法。
【請求項５】
前記第一の方式及び前記第二の方式は、受信された情報に対して複数のビット変換を行い、前記複数のビット変換を行った結果を所定の順に配列した値が所定の値になっているか否か確認する方式であり、前記第一の方式と前記第二の方式とでは、行われるビット変換又は配列の順が異なる方式である請求項３に記載のデータの書き換え方法。
【請求項６】
変換された前記第一の形式の情報と前記データに含まれる情報とが一致すると判断したとき、
前記取得された記録装置の機種情報に基づいて、前記管理装置は前記管理装置に記憶されたデータを前記記録装置に書き込み、
変換された前記第二の形式の情報と前記データに含まれる情報とが一致すると判断したとき、
前記取得された記録装置の機種情報に基づいて、前記管理装置は前記管理装置に記憶されたデータを前記記録装置に書き込む請求項３に記載のデータの書き換え方法。
【請求項７】
記録装置から第一の範囲の値で示された前記記録装置の機種情報または前記記録装置の機種情報が前記第一の範囲の値とは異なる第二の範囲の値であることを示す継続情報を含む第一の情報を受信する受信部と、
前記記録装置の機種情報に対応して、前記記録装置に書き込むデータを記憶する記憶部と、
前記受信部で受信された第一の情報に前記継続情報が含まれているときに、前記記録装置に前記第二の範囲の値である機種情報を含む第二の情報を要求する要求部と、
前記第一の情報に含まれる前記機種情報もしくは前記第二の情報に含まれる前記機種情報に応じて前記記憶部から前記記録装置の機種情報に対応する前記データを前記記録装置に書き込ませる書き込み部と、
を備えることを特徴とするデータ書き換え装置。
【請求項８】
記録装置に接続可能な管理装置の制御部が実行する書き換えプログラムであって、
前記記録装置から第一の範囲の値で示された前記記録装置の機種情報または前記記録装置の機種情報が前記第一の範囲の値とは異なる第二の範囲の値であることを示す継続情報を含む第一の情報を受信する受信部と、
前記記録装置の機種情報に対応して、前記記録装置に書き込むデータを記憶する記憶部と、
前記受信部で受信された第一の情報に前記継続情報が含まれているときに、前記記録装置に前記第二の範囲の値である機種情報を含む第二の情報を要求する要求部と、
前記第一の情報に含まれる前記機種情報もしくは前記第二の情報に含まれる前記機種情報に応じて前記記憶部から前記記録装置の機種情報に対応する前記データを前記記録装置に書き込ませる書き込み部として機能する書き換えプログラム。
【手続補正２】
【補正対象書類名】明細書
【補正対象項目名】００１３
【補正方法】変更
【補正の内容】
【００１３】
本発明は、下記の適用例が可能である。
（適用例１）
管理装置が記録装置に対して行うデータ書き換え方法であって、
前記管理装置が前記記録装置に対し、第一の範囲の値で示された前記記録装置の機種情報または前記記録装置の機種情報が前記第一の範囲の値とは異なる第二の範囲の値であることを示す継続情報を含む第一の情報の送信を要求し、
前記管理装置は、前記記録装置から送信された前記第一の情報に前記機種情報もしくは前記継続情報のどちらが含まれているかを判断し、
前記管理装置が、前記第一の情報に前記機種情報が含まれていると判断した場合に、
前記管理装置は、前記第一の情報から前記機種情報を取得し、
前記管理装置が、前記第一の情報に前記継続情報が含まれていると判断した場合に、
前記管理装置は、前記第二の範囲の値で示された前記記録装置の機種情報を含む第二の情報を送信することを前記記録装置に要求し、
前記管理装置は、前記記録装置から送信された前記第二の情報から前記記録装置の機種情報を取得し、
前記取得された記録装置の機種情報に基づいて、前記管理装置は前記管理装置に記憶されたデータを前記記録装置に書き込むことを特徴とするデータの書き換え方法。
（適用例２）
前記管理装置は、前記第一の情報から前記記録装置の機種情報を取得した後、前記取得された機種情報と前記データとの対応関係を第一の方式で判断し、
前記第二の情報から前記記録装置の機種情報を取得した後、前記取得された機種情報と前記データとの対応関係を前記第一の方式と異なる第二の方式で判断する請求項１に記載のデータの書き換え方法。
（適用例３）
前記第一の方式は、前記第一の情報から取得された機種情報を第一の形式に変換し、
変換された前記第一の形式の情報と前記データに含まれる情報との対応関係で判断し、
前記第二の情報は、前記継続情報を含み、
前記第二の方式は、前記第二の情報に含まれる前記継続情報を前記第一の形式と異なる第二の形式に変換し、
変換された前記第二の形式の情報と前記データに含まれる情報との対応関係で判断する請求項２に記載のデータの書き換え方法。
（適用例４）
前記第一の方式及び前記第二の方式は、所定のビット変換を行った結果が所定の値になっているか否か判断する方式であり、前記第一の方式で用いられるビット変換の結果と前記第二の方式で用いられるビット変換の結果とは異なるような方式である請求項３に記載のデータの書き換え方法。
（適用例５）
前記第一の方式及び前記第二の方式は、受信された情報に対して複数のビット変換を行い、前記複数のビット変換を行った結果を所定の順に配列した値が所定の値になっているか否か確認する方式であり、前記第一の方式と前記第二の方式とでは、行われるビット変換又は配列の順が異なる方式である請求項３に記載のデータの書き換え方法。
（適用例６）
変換された前記第一の形式の情報と前記データに含まれる情報とが一致すると判断したとき、
前記取得された記録装置の機種情報に基づいて、前記管理装置は前記管理装置に記憶されたデータを前記記録装置に書き込み、
変換された前記第二の形式の情報と前記データに含まれる情報とが一致すると判断したとき、
前記取得された記録装置の機種情報に基づいて、前記管理装置は前記管理装置に記憶されたデータを前記記録装置に書き込む請求項３に記載のデータの書き換え方法。
（適用例７）
記録装置から第一の範囲の値で示された前記記録装置の機種情報または前記記録装置の機種情報が前記第一の範囲の値とは異なる第二の範囲の値であることを示す継続情報を含む第一の情報を受信する受信部と、
前記記録装置の機種情報に対応して、前記記録装置に書き込むデータを記憶する記憶部と、
前記受信部で受信された第一の情報に前記継続情報が含まれているときに、前記記録装置に前記第二の範囲の値である機種情報を含む第二の情報を要求する要求部と、
前記第一の情報に含まれる前記機種情報もしくは前記第二の情報に含まれる前記機種情報に応じて前記記憶部から前記記録装置の機種情報に対応する前記データを前記記録装置に書き込ませる書き込み部と、
を備えることを特徴とするデータ書き換え装置。
（適用例８）
記録装置に接続可能な管理装置の制御部が実行する書き換えプログラムであって、
前記記録装置から第一の範囲の値で示された前記記録装置の機種情報または前記記録装置の機種情報が前記第一の範囲の値とは異なる第二の範囲の値であることを示す継続情報を含む第一の情報を受信する受信部と、
前記記録装置の機種情報に対応して、前記記録装置に書き込むデータを記憶する記憶部と、
前記受信部で受信された第一の情報に前記継続情報が含まれているときに、前記記録装置に前記第二の範囲の値である機種情報を含む第二の情報を要求する要求部と、
前記第一の情報に含まれる前記機種情報もしくは前記第二の情報に含まれる前記機種情報に応じて前記記憶部から前記記録装置の機種情報に対応する前記データを前記記録装置に書き込ませる書き込み部として機能する書き換えプログラム。
本発明により、新たな範囲の機種情報（機種ＩＤ）を付与し、機種情報とデータ等との対応関係を正確に確認することが可能となる。